(57)【要約】【課題】  本発明の課題は、皮膚を含む対象物への貼付を繰り返し行うことができ、使用後は貼付した皮膚を含む対象物以外の対象物への使用も可能な装飾具及びその製造方法を提供することである。【解決手段】  装飾体を付着固定する装飾体固定面と、装飾体固定面とは厚さ方向反対側に形成され、対象物へ貼付しうる貼付面とを備えた両面粘着シール材と、装飾体固定面に付着固定された宝石又は鉱石の微粉末を有する装飾体とを備えている。【選択図】図４
2019058559.tif 000002
【特許請求の範囲】
【請求項１】
対象物に対して繰り返し貼付して使用することが可能な装飾具であって、装飾体を付着固定する装飾体固定面と、装飾体固定面とは厚さ方向反対側に形成され、対象物へ貼付しうる貼付面とを備えた両面粘着シール材と、前記装飾体固定面に付着固定された宝石又は鉱石の微粉末を有する装飾体とを備えていることを特徴とする装飾具。
【請求項２】
前記両面粘着シール材は、１枚の樹脂基板部の両面に夫々粘着層部が設けられている医療用シールであって、３層構造であることを特徴とする請求項１記載の装飾具。
【請求項３】
前記両面粘着シール材は、アクリル系粘着剤からなる皮膚用粘着層と、ポリエステルフィルムからなる樹脂基板部と、合成ゴム系粘着剤からなる素材用粘着層とから構成されることを特徴とする請求項１記載の装飾具。
【請求項４】
前記両面粘着シール材の総厚さは、０．０９ｍｍであることを特徴とする請求項１記載の装飾具。
【請求項５】
前記微粉末は、着色処理されているダイヤモンド又はプラチナからなることを特徴とする請求項１記載の装飾具。
【請求項６】
前記微粉末の粒子径は、０．２ｍｍ〜０．５ｍｍであることを特徴とする請求項１記載の装飾具。
【請求項７】
前記両面粘着シール材の剥離紙上のみに任意のデザインの切り込みを入れる工程と、前記両面粘着シール材を切断する工程と、前記切り込みがされた部分の剥離紙を剥がし、露出された前記装飾体固定面に着色処理された宝石又は鉱石の微粉末を塗布する工程と、を有することを特徴とする装飾具の製造方法。
【請求項８】
前記切り込みを入れる工程は、レーザーカッターを使用することを特徴とする請求項７記載の製造方法。
【発明の詳細な説明】
【技術分野】
【０００１】
本発明は、樹脂フィルム上に設けられた粘着層に装飾層を有する装飾具に係り、特に、人体の皮膚に貼付するための装飾具に関するものである。
【背景技術】
【０００２】
イベント会場等では、来場客がイベントを楽しむために、イベントのロゴ等を皮膚にデザインするためのボディージュエリーという装飾を施すための会場が開設されていることが多い。
しかしながら、ボディージュエリーは、ジュエリストという専門家が手作業で皮膚に一つ一つデザインを施していくために時間と費用がかかる上に、一度剥がしてしまうと再度貼付することができないという、不具合があった。
そこで、誰もが手軽に好みのデザインを皮膚に貼付することができ、繰り返し使用することもできる装飾具は提案されているが、製造工程が複雑であると共に工程数も多いことから、製造が煩雑であると共に時間がかかる、という不具合があった。
【０００３】
本件出願人は、このような観点から先行技術の調査を行い、特許文献１及び２のような文献を発見した。
【０００４】
例えば、特許文献１には、伸縮可能な第１の樹脂層及び第１の樹脂層の一方の面に形成され、前記対象物に引き剥がし可能に接着される第１の粘着層を有する第１の樹脂基板と、第１の樹脂層よりも伸縮性の高い第２の樹脂層、及び第２の樹脂層の両面に夫々形成された第２の粘着層を有し、その一方の第２の粘着層が前記第１の樹脂層の他方の面に接着される第２の樹脂基板と、対象物を装飾する装飾部品から形成される装飾層とからなる装飾具が開示されている。
【０００５】
特許文献２には、複数の装飾片と、一方の面が装飾片を付着させる付着面、他方の面が対象物に貼着される貼着面として使用され、装飾片が付着し、対象物に貼着された状態を維持するのに必要な粘着力を有したゲル状の材料からなる基板とからなる装飾具が開示されている。
【０００６】
しかしながら、特許文献１に開示されている装飾具にあっては、種類の異なる樹脂層を有する２種類の基板を貼り合わせる工程と、基板を所定のデザイン形状に切り抜くか又は打ち抜く工程と、装飾片を所定のデザイン配置に配置し装飾層を形成する工程と、装飾具の側面を覆うコート層を設ける工程とから製造されるため、工程数が多く、製造コストが嵩む、という不具合があった。
【０００７】
特許文献２に開示されている装飾具にあっては、決められたデザインの形状に基板を切り抜き、デザインによって決められた付着面の位置に大きいサイズの装飾片と小さいサイズ装飾片を載置した後に加圧することにより固定することで装飾層を設け、切り抜いたデザインの形状が崩れないように基板の側面をコーティングしなければならない、という不具合があった。
【先行技術文献】
【特許文献】
【０００８】
【特許文献１】特許第５６６７３１８号公報
【特許文献２】実登第３１１８６７３号公報
【発明の概要】
【発明が解決しようとする課題】
【０００９】
本発明の課題は、上記各文献記載の技術の問題点を解消し、皮膚を含む対象物への貼付を繰り返し行うことができ、使用後は貼付した皮膚を含む対象物以外の対象物への使用も可能な装飾具及びその製造方法を提供することである。
【課題を解決するための手段】
【００１０】
前記課題達成のため、請求項１記載の発明にあっては、対象物に対して繰り返し貼付して使用することが可能な装飾具であって、装飾体を付着固定する装飾体固定面と、装飾体固定面とは厚さ方向反対側に形成され、対象物へ貼付しうる貼付面とを備えた両面粘着シール材と、前記装飾体固定面に付着固定された宝石又は鉱石の微粉末を有する装飾体とを備えていることを特徴とする。
【００１１】
従って、請求項１記載の発明にあっては、対象物に対して繰り返し貼付して使用することが可能な装飾具であって、装飾体を付着固定する装飾体固定面と、装飾体固定面とは厚さ方向反対側に形成され、対象物へ貼付しうる貼付面とを備えた両面粘着シール材と、前記装飾体固定面に付着固定された宝石又は鉱石の微粉末を有する装飾体とを備えていることから、前記両面粘着シール材の装飾体固定面のみを露出させ、装飾体が外方へ表出されるように、装飾体固定面とは厚さ方向反対側に形成される貼付面により対象物に貼付することができる。
【００１２】
請求項２記載の発明にあっては、前記両面粘着シール材は、１枚の樹脂基板部の両面に夫々粘着層部が設けられている医療用シールであって、３層構造であることを特徴とする。
【００１３】
従って、請求項２記載の発明にあっては、粘着層部の間に、樹脂基板部が設けられていることから、剥離紙から装飾具を剥がした場合であっても、装飾具は伸びて変形することはない。
【００１４】
また、前記両面粘着シール材は、医療用シールであることから、人間の皮膚を含め貼付する対象物を選ばない。
【００１５】
請求項３記載の発明にあっては、前記両面粘着シール材は、装飾体を付着固定する装飾体固定面を構成するアクリル系粘着剤からなる皮膚用粘着層と、ポリエステルフィルムからなる樹脂基板部と、装飾体固定面とは厚さ方向反対側に形成される貼付面を構成する合成ゴム系粘着剤からなる素材用粘着層とから構成されることを特徴とする。
【００１６】
従って、請求項３記載の発明にあっては、前記樹脂基板部であるポリエステルフィルムは、伸びにくい合成樹脂であることから、剥離紙から装飾具を剥がす際に、前記装飾具に張力が加わっても伸びて変形することはない。
【００１７】
請求項４記載の発明にあっては、前記両面粘着シール材の総厚さは、０．０９ｍｍであることを特徴とする。
【００１８】
従って、請求項４記載の発明にあっては、前記両面粘着シール材の総厚さは、０．０９ｍｍであるので、両面粘着シール材の装飾体固定面上に装飾体を備えた場合であっても、対象物との一体感をもたらす。
【００１９】
また、貼付する対象物が人間の皮膚である場合、長時間同じ場所に貼付した状態であっても使用者の皮膚にかかる負担は少ない。
【００２０】
請求項５記載の発明にあっては、前記微粉末は、着色処理されているダイヤモンド又はプラチナからなることを特徴とする。
【００２１】
従って、請求項５記載の発明にあっては、前記微粉末は、着色処理されているダイヤモンド又はプラチナからなることから、合成宝石とは異なる高級感のある質感及び輝きを備える。
【００２２】
請求項６記載の発明にあっては、前記微粉末の粒子径は、０．２ｍｍ〜０．５ｍｍであることを特徴とする。
【００２３】
従って、請求項６記載の発明にあっては、前記微粉末の粒子径は０．２ｍｍ〜０．５ｍｍあることから、前記微粉末を付着固定する装飾体固定面の面積が小さい場合であっても、装飾体固定面に前記微粉末を付着固定することができる。
【００２４】
請求項７記載の発明にあっては、前記両面粘着シール材の剥離紙上のみに任意のデザインの切り込みを入れる工程と、前記両面粘着シール材を切断する工程と、前記切り込みがされた部分の剥離紙を剥がし、露出された装飾体固定面に着色処理された宝石又は鉱石の微粉末を塗布する工程と、を有することを特徴とする。
【００２５】
従って、請求項７記載の発明にあっては、前記両面粘着シール材の剥離紙上のみに任意のデザインの切り込みを入れる工程と、前記両面粘着シール材を切断する工程と、前記切り込みがされた部分の剥離紙を剥がし、露出された装飾体固定面に着色処理された宝石又は鉱石の微粉末を塗布する工程と、を有することから、前記切り込みがされた部分の剥離紙を順番に剥がすことにより、着色処理された宝石又は鉱石の微粉末が露出された装飾体固定面上で混在することはない。
【００２６】
請求項８記載の発明にあっては、前記切り込みを入れる工程は、レーザーカッターを使用することを特徴とする。
【００２７】
従って、請求項８記載の発明にあっては、前記切り込みを入れる工程は、前記レーザーカッターを使用することから、前記レーザーカッターのレーザービームの出力を調整することにより、一定の切り込み深さで、前記両面粘着シール材の素材用粘着層上の剥離紙に切り込みを入れることができる。
【００２８】
さらに、前記レーザービームのスポット径の大きさを調整することにより複雑な形状の切り込みを前記両面粘着シール材の素材用粘着層上の剥離紙に行うことができる。
【発明の効果】
【００２９】
請求項１記載の装飾具にあっては、対象物に対して繰り返し貼付して使用することが可能な装飾具であって、装飾体を付着固定する装飾体固定面と、装飾体固定面とは厚さ方向反対側に形成され、対象物へ貼付しうる貼付面とを備えた両面粘着シール材と、前記装飾体固定面に付着固定された宝石又は鉱石の微粉末を有する装飾体とを備えていることから、前記両面粘着シール材の装飾体固定面のみを露出させ、装飾体が外方へ表出されるように、装飾体固定面とは厚さ方向反対側に形成される貼付面により対象物に貼付することができるので、誰でも簡単に他に類を見ない美しい輝きを放つ高級感のある装飾具を対象物に貼付することができる。
【００３０】
前記装飾具は、前記両面粘着シール材の装飾体固定面に宝石又は鉱石の微粉末を付着固定させることにより形成された、装飾体を設けていることから、少ない材料で高級感のある装飾具を製造することができるので製造コストを削減することができる。
【００３１】
その結果、人間の皮膚を含む対象物への貼付を繰り返し行うことができ、使用後は貼付した人間の皮膚を含む対象物以外への使用も可能な装飾具を提供することができる。
【００３２】
請求項２記載の装飾具にあっては、前記両面粘着シール材は、粘着層部の間に、樹脂基板部が設けられていることから、剥離紙から装飾具を剥がした場合であっても、装飾具は伸びて変形することはないので、装飾具の形状を維持したまま繰り返し対象物に貼付することができる。
【００３３】
前記両面粘着シール材は、医療用シールであることから、貼付する対象物を選ばないので、貼付する対象物が、アレルギーを有する人間の皮膚であっても安全に貼付することができる。
その結果、繰り返し貼付することができると共に、貼付する対象物を選ばない、安全性の高い装飾具を提供することができる。
【００３４】
請求項３記載の装飾具にあっては、前記樹脂基板部であるポリエステルフィルムは、伸びにくい合成樹脂であることから、剥離紙から装飾具を剥がす際に、前記装飾具に張力が加わっても装飾具は伸びて変形することはないので、繰り返し貼付をした場合であっても、装飾具の形状を維持したまま使用することができる。
【００３５】
その結果、形状を維持したまま繰り返し貼付することができる装飾具を提供することができる。
【００３６】
請求項４記載の装飾具にあっては、前記両面粘着シール材の総厚さは、０．０９ｍｍであるので、両面粘着シール材の装飾体固定面上に装飾体を備えた場合であっても、対象物との一体感をもたらすことから、様々な対象物に貼付することができる。
【００３７】
前記両面粘着シール材の総厚さは、０．０９ｍｍであるので、貼付する対象物が人間の皮膚である場合、長時間同じ場所に貼付した状態であっても皮膚にかかる負担は少ないので、皮膚への影響を気にせずに貼付し続けることができる。
【００３８】
その結果、様々な対象物に貼付した場合であっても、違和感をもたらすことなく使用することができると共に、貼付する対象物が人間の皮膚である場合であっても、前記両面粘着シール材が使用者の皮膚にかける負担は少ないので、使用者がアレルギーを有していても安心して皮膚に貼付することができる。
【００３９】
請求項５記載の装飾具にあっては、前記微粉末は、着色処理されているダイヤモンド又はプラチナからなることから、合成宝石とは異なる高級感のある質感及び輝きを備えるので、他の装飾具とは比較できないほどの高級感のある装飾具を対象物に貼付することができる。
【００４０】
その結果、対象物が物品である場合には、物品のデザイン性を向上させることができ、対象物が人間の皮膚である場合には、宝石を身に付けているような感覚を与えることができる。
【００４１】
請求項６記載の装飾具にあっては、前記微粉末の粒子径は０．２ｍｍ〜０．５ｍｍであることから、前記微粉末を付着固定する装飾体固定面の面積が小さい場合であっても、装飾体固定面に前記微粉末を付着固定することができるので、複雑なデザインにも使用することができる。
その結果、幅広いデザインの装飾具を提供することができる。
【００４２】
請求項７記載の装飾具の製造方法にあっては、前記両面粘着シール材の剥離紙上のみに任意のデザインの切り込みを入れる工程と、前記両面粘着シール材を切断する工程と、前記切り込みがされた部分の剥離紙を剥がし、露出された粘着層に着色処理された宝石又は鉱石の微粉末を塗布する工程と、を有することから、前記切り込みがされた部分の剥離紙を順番に剥がすことにより、着色処理された宝石又は鉱石の微粉末が露出された粘着層上で混在することはないので、所望する通りの色調を有するデザインの装飾具を製造することができる。
【００４３】
その結果、デザインの細かい部分まで表現された装飾具を製造することができる。
【００４４】
請求項８記載の装飾具の製造方法にあっては、前記切り込みを入れる工程は、前記レーザーカッターを使用することから、前記レーザーカッターのレーザービームの出力を調整することにより、一定の切り込み深さで、前記両面粘着シール材の素材用粘着層上の剥離紙に切り込みを入れることができるので、素材用粘着層までの切り込み深さと、皮膚用粘着層までの切り込み深さを使い分けることができる。
【００４５】
さらに、前記レーザービームのスポット径の大きさを調整することにより複雑な形状の切り込みを前記両面粘着シール材の素材用粘着層上の剥離紙上に行うことができることから、様々なデザインの装飾具を製造することができる。
【００４６】
その結果、レーザーカッターを使用することにより、簡単なデザインの形状から複雑なデザインの形状の装飾具まで対応して製造することができる。
【図面の簡単な説明】
【００４７】
【図１】図１は、本発明に係る装飾具を示し、一例であるハート型の装飾具を示す平面図である。
【図２】図２は、本発明に係る装飾具を示し、図１に示す両面粘着シール材のA−A線断面図である。
【図３】図３は、本発明に係る装飾具を示し、図１に示したハート型の装飾具を形成するための剥離紙に切り込みを入れた状態を示す、図１に示す両面粘着シール材のA−A線断面図である。
【図４】図４は、本発明に係る装飾具を示し、図１に示したハート型の装飾具を示す平面図のA−A線断面図である。
【図５】図５は、本発明に係る装飾具の製造方法の手順を示すフローチャートである。
【発明を実施するための最良の形態】
【００４８】
以下、添付図面に示す実施の形態に基づき、本発明を詳細に説明する。
図１及び図４に示すように、本実施の形態に係る装飾具１０にあっては、対象物に対して繰り返し貼付して使用することが可能であって、装飾体２５、２６、２７を付着固定する装飾体固定面１６と、装飾体固定面１６とは厚さ方向反対側に形成され、対象物へ貼付しうる貼付面２２とを備えた両面粘着シール材２４と、装飾体固定面１６に付着固定された宝石又は鉱石の微粉末を有する装飾体２５、２６、２７とを備えている。
【００４９】
図２及び図３に示すように、本実施の形態に係る両面粘着シール材２４にあっては、装飾体固定面１６と貼付面２２の表面には夫々色調の異なる剥離紙１７、２１が設けられている。
【００５０】
図２及び図３に示すように、本実施の形態に係る両面粘着シール材２４にあっては、１枚の樹脂基板部１９の両面に夫々粘着層部１８、２０が設けられている医療用シールであって、３層構造に形成されている。
【００５１】
図２及び図３に示すように、本実施の形態に係る両面粘着シール材２４にあっては、アクリル系粘着剤からなる皮膚用粘着層２０と、皮膚用粘着層２０の上面部に設けられたポリエステルフィルムからなる樹脂基板部１９と、樹脂基板部１９の上面部に設けられた合成ゴム系粘着剤からなる素材用粘着層１８とから構成される。
【００５２】
図２〜図４に示すように、本実施の形態に係る両面粘着シール材２４にあっては、両面粘着シール材２４の総厚さＬ１は、０．０９ｍｍである。
【００５３】
図１及び図４に示すように、本実施の形態に係る装飾具１０にあっては、装飾体固定面１６上には、微粉末を有する装飾体２５、２６、２７が付着固定されている。
【００５４】
図１及び図４に示すように、本実施の形態に係る装飾具１０にあっては、装飾体２５、２６、２７を構成する微粉末は、着色処理されているダイヤモンド又はプラチナからなる。
【００５５】
図１及び図４に示すように、本実施の形態に係る装飾具１０にあっては、装飾体２５、２６、２７を構成する微粉末の粒子径は、０．２ｍｍ〜０．５ｍｍである。
【００５６】
実施例として、図１に示すように、本実施の形態に係る装飾具１０にあっては、ハート型１５の形状を形成した装飾具１０である。ハート型１５の装飾具１０は、一定の幅寸法で形成される外枠部１１と、外枠部１１の内方に形成される本体部１２と、反射部分を形成する装飾部１３、１４から構成され、外枠部１１、本体部１２及び装飾部１３、１４には、着色処理されている微粉末のダイヤモンド又はプラチナが付着固定されている。
【００５７】
図３に示すように、本実施の形態に係る両面粘着シール材２４にあっては、装飾体固定面１６上に設けられている剥離紙１７に一定の幅寸法で形成される外枠部１１と、外枠部１１の内方に形成される本体部１２と、反射部分を形成する装飾部１３を構成するように切り込み２３、２３・・・が入れられている。
【００５８】
本実施の形態に係る装飾具１０の製造方法にあっては、レーザーカッターを使用し、図５に示すように、工程Ｓ１０〜工程Ｓ１４の順で行われる。
【００５９】
図５に示すように、本実施の形態に係る装飾具１０を製造する場合には、先ず製造する装飾具１０のデザインを専用のデザイン作成用ソフトで作成し、レーザーカッター装置にデザインデータを送信する（Ｓ１０）。
【００６０】
次に、素材用粘着層１８上の剥離紙１７までの切り込みを入れるための切り込み深さＬ２と、皮膚用粘着層２０上の剥離紙２１までの切り込みを入れるための切り込み深さＬ３とを設定する作画線の色調を夫々設定する（Ｓ１１）。
【００６１】
次に、レーザーカッターのレーザー出力の最大出力に対して１〜７％の範囲の出力に調節する（Ｓ１２）。
【００６２】
次に、両面粘着シール材２４の剥離紙１７上のみに任意のデザインの切り込みを入れ（Ｓ１３）、最後に両面粘着シール材２４を切断し（Ｓ１３）、切り込みがされた部分２３、２３２・・・の剥離紙１７を剥がし、露出された装飾体固定面１６に着色処理された宝石又は鉱石の微粉末を塗布する（Ｓ１４）。
【００６３】
以下、本実施の形態に係る装飾具１０の作用について説明する。
図１〜図４に示すように、本実施の形態に係る装飾具１０にあっては、装飾体２５、２６、２７を付着固定する装飾体固定面１６と、装飾体固定面１６とは厚さ方向反対側に形成され、対象物へ貼付しうる貼付面２２とを備えた両面粘着シール材２４と、装飾体固定面１６に付着固定された宝石又は鉱石の微粉末を有する装飾体２５、２６、２７とを備えていることから、両面粘着シール材２４の装飾体固定面１６のみを露出させ、装飾体２５、２６、２７が外方へ表出されるように、装飾体固定面１６とは厚さ方向反対側に形成される貼付面２２により対象物、例えば人間の腕等の表面に貼付することができる。
【００６４】
図２及び図３に示すように、本実施の形態に係る装飾具１０にあっては、両面粘着シール材２４は、医療用シールであることから、人間の皮膚を含め貼付する対象物を選ばない。
【００６５】
図２及び図３に示すように、本実施の形態に係る装飾具１０にあっては、両面粘着シール材２４は、アクリル系粘着剤からなる皮膚用粘着層２０と、ポリエステルフィルムからなる樹脂基板部１９と、合成ゴム系粘着剤からなる素材用粘着層１８とから構成され、樹脂基板部１９であるポリエステルフィルムは、伸びにくい合成樹脂であることから、剥離紙２１から装飾具１０を剥がす際に、装飾具１０に張力が加わっても装飾具１０は伸びて変形することはない。
【００６６】
図２〜図４に示すように、本実施の形態に係る装飾具１０にあっては、両面粘着シール材２４の総厚さＬ１は、０．０９ｍｍであることから、両面粘着シール材２４の装飾体固定面１６上に装飾体２５、２６、２７を備えた場合であっても、対象物との一体感をもたらすことができる。
【００６７】
また、貼付する対象物が人間の皮膚である場合、長時間同じ場所に貼付した状態であっても使用者の皮膚にかかる負担は少ない。
【００６８】
図１及び図４に示すように、本実施の形態に係る装飾具１０にあっては、装飾体２５、２６、２７を構成する微粉末は、着色処理されているダイヤモンド又はプラチナからなることから、合成宝石とは異なる高級感のある質感及び輝きを備える。
【００６９】
図１及び図４に示すように、本実施の形態に係る装飾具１０にあっては、装飾体２５、２６、２７を構成する微粉末の粒子径は、０．２ｍｍ〜０．５ｍｍであることから、微粉末を付着固定する装飾体固定面１６の面積が小さい場合であっても、装飾体固定面１６上全体にダイヤモンド又はプラチナからなる微粉末を付着固定することができる。
【００７０】
図５に示すように、本実施の形態に係る装飾具１０を製造する場合には、素材用粘着層１８上の剥離紙１７への切り込みは、レーザーカッターを使用することから、レーザービームのスポット径の大きさを調節することにより素材用粘着層１８上に複雑な形状の切り込みを入れることができる。
【００７１】
図５に示すように、本実施の形態に係る装飾具１０を製造する場合には、レーザーカッターのレーザー出力を最大出力に対して１〜７％の範囲の出力に調節して（Ｓ１２）、一定の切り込み深さＬ２で両面粘着シール材２４の素材用粘着層１８上の剥離紙１７に切り込みを入れることができるので、レーザーの熱によって樹脂基板部１９が変形する前に切り込みは完了する。
【００７２】
図５に示すように、本実施の形態に係る装飾具１０を製造する場合には、製造する装飾具１０のデザインをデザイン作成用ソフトで作成し、レーザーカッター装置に付属されている専用ソフトに読み込ませることから（Ｓ１０）、同じデザインを同時に複数作成することができる。
【００７３】
図５に示すように、本実施の形態に係る装飾具１０を製造する場合には、素材用粘着層１８上の剥離紙１７までの切り込みを入れるための切り込み深さＬ２と、皮膚用粘着層２０上の剥離紙２１までの切り込みを入れるための切り込み深さＬ３とを設定するためのデザインの作画線の色調を夫々設定することから（Ｓ１１）、切り込み深さの設定を間違えることを防ぐ。
【００７４】
図５に示すように、本実施の形態に係る装飾具１０を製造する場合には、先ず素材用粘着層１８上の剥離紙１７上のみに任意のデザインの切り込みを入れ、両面粘着シール材２４を切断し（Ｓ１３）、最後に切り込みがされた部分２３、２３・・・の剥離紙１７を剥がし、露出された装飾体固定面１６に着色処理された宝石又は鉱石の微粉末を塗布することから（Ｓ１４）、切り込みがされた部分２３、２３・・・の剥離紙１７を順番に剥がすことにより、選択した着色処理された宝石又は鉱石の微粉末が露出された装飾体固定面１６上以外に付着固定されることはない。
【００７５】
以下、本実施の形態に係る装飾具１０の効果について説明する。
図１〜図４に示すように、本実施の形態に係る装飾具１０にあっては、両面粘着シール材２４の装飾体固定面１６のみを露出させ、装飾体２５、２６、２７が外方へ表出されるように、装飾体固定面１６とは厚さ方向反対側に形成される貼付面２２により対象物に貼付することができるので、誰でも簡単に他に類を見ない美しい輝きを放つ高級感のある装飾具を対象物に貼付することができる。
【００７６】
図４に示すように、本実施の形態に係る装飾具１０にあっては、少ない材料で高級感のある装飾具を製造することができるので製造コストを削減することができる。
【００７７】
従って、人間の皮膚を含む対象物への貼付を繰り返し行うことができ、使用後は使用者の貼付した皮膚を含む対象物以外への使用も可能な装飾具１０を提供することができる。
【００７８】
図４に示すように、本実施の形態に係る装飾具１０にあっては、両面粘着シール材２４は、医療用シールであることから、貼付する対象物を選ばないので、アレルギーを有する人間の皮膚であっても安全に貼付することができる。
従って、貼付する対象物を選ばない、安全性の高い装飾具１０を提供することができる。
【００７９】
図４に示すように、本実施の形態に係る装飾具１０にあっては、樹脂基板部１９であるポリエステルフィルムは、伸びにくい合成樹脂であることから、剥離紙２１から装飾具１０を剥がす際に、装飾具１０に張力が加わっても装飾具１０は伸びて変形することはないので、繰り返し貼付をした場合であっても、装飾具１０の形状を維持したまま使用することができる。従って、形状を維持したまま繰り返し貼付することができる装飾具１０を提供することができる。
【００８０】
図４に示すように、本実施の形態に係る装飾具１０にあっては、両面粘着シール材２４の総厚さＬ１は、０．０９ｍｍであるので、両面粘着シール材２４の装飾体固定面１６上に装飾体２５、２６、２７を備えた場合であっても、対象物との一体感をもたらすことから、様々な対象物に貼付することができる。
【００８１】
図４に示すように、本実施の形態に係る装飾具１０にあっては、両面粘着シール材２４の総厚さＬ１は、０．０９ｍｍであるので、貼付する対象物が人間の皮膚である場合、長時間同じ場所に貼付した状態であっても使用者の皮膚にかかる負担は少ないので、皮膚への影響を気にせずに貼付し続けることができる。
【００８２】
従って、様々な対象物に貼付した場合であっても、違和感をもたらすことなく使用することができると共に、貼付する対象物が人間の皮膚である場合であっても、両面粘着シール材２４が使用者の皮膚にかける負担は少ないので、使用者がアレルギーを有していても安心して皮膚に貼付することができる。
【００８３】
図１及び図４に示すように、本実施の形態に係る装飾具１０にあっては、装飾体２５、２６、２７を構成する微粉末は、着色処理されているダイヤモンド又はプラチナからなることから、合成宝石とは異なる高級感のある質感及び輝きを備えるので、他の装飾具とは比較できないほどの高級感のある装飾具１０を対象物に貼付することができる。
【００８４】
従って、対象物が物品である場合には、物品のデザイン性を向上させることができ、対象物が人間の皮膚である場合には、宝石を身に付けているような感覚を与えることができる。
【００８５】
図１及び図４に示すように、本実施の形態に係る装飾具１０にあっては、装飾体２５、２６、２７を構成する微粉末の粒子径は０．２ｍｍ〜０．５ｍｍであることから、微粉末を付着固定する装飾体固定面１６の面積が小さい場合であっても、装飾体固定面１６に微粉末を付着固定することができるので、複雑なデザインにも使用することができる。
従って、幅広いデザインの装飾具１０を提供することができる。
【００８６】
図５に示すように、本実施の形態に係る装飾具１０を製造する場合には、素材用粘着層１８上の剥離紙１７への切り込みは、レーザーカッターを使用することから、レーザービームのスポット径の大きさを調節することにより複雑な形状の切り込みを両面粘着シール材２４の素材用粘着層１８上の剥離紙１７に行うことができる。
【００８７】
図５に示すように、本実施の形態に係る装飾具１０の製造方法にあっては、レーザーカッターのレーザー出力の最大出力に対して１〜７％の範囲の出力に調節して（Ｓ１２）、一定の切り込み深さＬ２で両面粘着シール材２４に切り込みを入れることができるので、レーザーの熱によって樹脂基板部１９が変形する前に切り込みを完了させることができる。
【００８８】
従って、微細なデザインを有すると共に、品質の高い装飾具を安定して製造することができる。
【００８９】
図５に示すように、本実施の形態に係る装飾具１０を製造する場合には、両面粘着シール材２４を構成する素材用粘着層１８上の剥離紙１７までの切り込みを入れるための切り込み深さＬ２と、皮膚用粘着層２０上の剥離紙２１までの切り込みを入れるための切り込み深さＬ３とを設定するためのデザインの作画線の色調を夫々設定することから（Ｓ１１）、切り込み深さＬ２及びＬ３の設定を間違えることを防ぐことができる。
【００９０】
従って、素材用粘着層１８までの切り込み深さＬ２と、皮膚用粘着層までの切り込み深さＬ３を容易に設定することができるので、設定ミスによる製造コストが嵩むのを防ぐことができる。
【００９１】
図５に示すように、本実施の形態に係る装飾具１０を製造する場合には、先ず剥離紙１７上のみに任意のデザインの切り込みを入れ、両面粘着シール材２４を切断し（Ｓ１３）、最後に切り込みがされた部分２３、２３・・・の剥離紙１７を剥がし、露出された装飾体固定面１６に着色処理された宝石又は鉱石の微粉末を塗布することから（Ｓ１４）、切り込みがされた部分２３、２３・・・の剥離紙１７を順番に剥がすことにより、選択した着色処理された宝石又は鉱石の微粉末が露出された装飾体固定面１６上以外に付着固定されることはない。
【００９２】
従って、所望する通りの色調を有し、デザインの細かい部分まで表現された装飾具１０を製造し、提供することができる。
【産業上の利用可能性】
【００９３】
本発明は、樹脂フィルム上に設けられた粘着層に装飾層を有する装飾具であることから産業上の利用可能性を有している。
【符号の説明】
【００９４】
１０…装飾具
１１…外枠部
１２…本体部
１３…装飾部
１４…装飾部
１５…ハート型
１６…装飾体固定面
１７…剥離紙
１８…粘着層部（素材用粘着層）
１９…樹脂基板部
２０…粘着層部（皮膚用粘着層）
２１…剥離紙
２２…貼付面
２３…切り込み
２４…両面粘着シール材
２５…装飾体
２６…装飾体
２７…装飾体
Ｌ１…両面粘着シール材の総厚さ
Ｌ２…切り込み深さ
Ｌ３…切り込み深さ
【図１】
2019058559.tif 000003
【図２】
2019058559.tif 000004
【図３】
2019058559.tif 000005
【図４】
2019058559.tif 000006
【図５】
2019058559.tif 000007